【事件の表示】
　特願２０１０−２２７５５０「ジョブ履歴情報監査システム、ジョブ履歴情報監査システムの制御方法、プログラム」拒絶査定不服審判事件〔平成２４年　４月２６日出願公開、特開２０１２−　８３８４４、請求項の数（９）〕について、次のとおり審決する。
【結　論】
　原査定を取り消す。
　本願の発明は、特許すべきものとする。
【理　由】
第１．手続の経緯
　
　本願は、平成２２年１０月７日の出願であって、平成２６年４月２３日付けで拒絶理由が通知され、同年６月３０日付けで手続補正がなされたが、同年１２月２日付けで拒絶査定がなされ、これに対し、平成２７年３月９日に拒絶査定不服審判の請求がなされ、同時に手続補正がなされたものである。
　
第２．平成２７年３月９日付けの手続補正（以下「本件補正」という。）の適否
　
１．補正の内容 
　
　本件補正は、平成２６年６月３０日付け手続補正書により補正された特許請求の範囲の請求項１を、
　
「画像形成装置において実行されるジョブのジョブ履歴情報を保存するジョブ履歴情報監査システムであって、
　ページフィルタリングの条件として、複数の条件の中から少なくとも１以上の条件を設定する設定手段と、
　前記ページフィルタリングの条件として、前記画像形成装置において実行されるジョブに含まれるページのうち前記ジョブ履歴情報として画像データを取得するページの割合が設定されている場合に、前記ジョブに含まれるページから、当該割合にあたるページ数分の画像データをランダムで取得する取得手段と、
　を有することを特徴とするジョブ履歴情報監査システム。」
　
から
　
「画像形成装置において実行されるジョブのジョブ履歴情報を保存するジョブ履歴情報監査システムであって、
　ページフィルタリングの条件として、複数の条件の中から少なくとも１以上の条件を設定する設定手段と、
　
前記ページフィルタリングの条件として、前記画像形成装置において実行されるジョブに含まれるページのうち前記ジョブ履歴情報として画像データを取得するページの割合が設定されている場合に、当該割合にあたるページ数を決定する決定手段と
　前記ジョブに含まれるページから、
前記決定手段により決定された
し、
　
前記決定手段により決定されるページ数は、０より大きい整数値を示す
 
とする補正（以下、「補正事項１」という。）を含んでいる。（下線は補正事項を示している。）
 
２．補正の適否
 
　本件補正の補正事項１は、補正前の特許請求の範囲の請求項１に記載された「取得手段」を、「決定手段」と「取得手段」とに分けることによって、補正前の特許請求の範囲の請求項１に記載された「当該割合にあたるページ数」が、該「決定手段」によって決定されるものとして限定すること、及び、補正前の特許請求の範囲の請求項１に記載された「ページ数」が「０より大きい整数値を示す」と限定するものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　 
　また、特許法第１７条の２第３項、第４項に違反するところはない。
　 
　そこで、本件補正後の前記請求項１に記載された発明（以下、「補正発明」という。）が特許法第１７条の２第６項において準用する同法第１２６条第７項の規定に適合するか（特許出願の際独立して特許を受けることができるものであるか）について以下に検討する。
　
　
（１）引用例の記載事項
 
　原査定の拒絶の理由に引用された特開２００７−１６６１７８号公報（以下、「引用例１」という。）には、次の記載がある。（下線は当審において付加した。）
　　
ア．「【技術分野】
【０００１】
　
本発明は、コピー、プリント、スキャン、ファックス等のジョブを実行した後、それをジョブログ（ジョブの実行記録）として管理する
管理方法、画像処理装置および
画像処理システムに関する
　 
イ．「【発明が解決しようとする課題】
【０００４】
　しかし、従来の印刷システムによると、通常はプリンタがクライアントから離れた場所に設置されているため、印刷した用紙を放置しておくと、その用紙が他の者に盗まれるおそれがある。原稿が機密文書の場合には、機密情報が漏洩しないようにする必要があるが、ジョブログのみの管理では、原稿とジョブログと実際に出力された文書との関連が不明確となるため、機密文書が漏洩した場合に漏洩元を追跡したり特定することができず、機密情報の漏洩を抑制することは難しい。
【０００５】
　従って、
本発明の目的は、機密情報の漏洩があっても、漏洩元を追跡したり特定することが可能な
画像処理システム
　
ウ．「【００３０】
［第１の実施の形態］
　
図１は、本発明の第１の実施の形態に係る画像処理システムを示す。この画像処理システム１は、ジョブを実行してジョブログを生成するとともにジョブで扱った画像からログイメージを作成する複数の画像処理装置としての複合機２と、各複合機２からネットワーク３を介して転送されたジョブログおよびログイメージを格納するジョブログ管理サーバ４とを備える
【００３１】
　図２は、複合機２のブロック図である。
この複合機２は
本複合機２の各部を制御する制御部２０と
操作表示部２１と
画像読取部２２と
印刷部２３と
設定画面、設定情報、画像等の各種の情報を記憶するＨＤＤ等からなる記憶装置２４と、ジョブを受け付けて複合機ＩＤおよびジョブＩＤを発行するとともにジョブ実行後にジョブログ等を生成するジョブ管理部２５と
ネットワーク通信部２６
ファクリミリ通信部２７とを有し
【００３２】
　複合機２は、コピー（複写）、プリント、スキャン、ファックス等の複数の機能を有する。ジョブは、これらの複数の機能のうち１つの機能、または複数の機能を利用して画像を処理する。ジョブは、操作表示部２１で受け付けるが、ネットワーク３に接続されたパーソナルコンピュータ等からなる図示しないユーザ端末から受け付けてもよい。
【００３３】
　制御部２０のＲＯＭや記憶装置２４には、ジョブ実行プログラム、ジョブログ管理プログラム等の各種のプログラムが記憶されており、制御部２０のＣＰＵは、ＲＯＭや記憶装置２４に記憶されているプログラムに従って複合機２の各部を制御する。
【００３４】
　
ジョブ管理部２５は、ジョブ実行後にジョブログを生成し、それを蓄積するジョブログ生成・蓄積部２５０と、ジョブで扱われた画像からログイメージを作成するログイメージ作成部２５１と、ジョブログと関連するようにログイメージを記憶するログイメージ記憶部２５２とを備え
【００３５】
　ジョブログは、例えば、複合機ＩＤ、ジョブＩＤ、ジョブの種類、ユーザ名、ジョブ受付時刻、ジョブ終了時刻、ジョブの待機中・処理中・中止・完了・出力枚数・エラー種別等のステータス情報等からなる。
【００３６】
　
ログイメージ作成部２５１は、ジョブで扱われた画像にログイメージ作成設定情報に従った処理を施し、ログイメージを作成する
【００３７】
　図３は、ジョブログ管理サーバ４のブロック図である。
このジョブログ管理サーバ４は、
通信部４０と
本サーバ４の各部を制御する制御部４１と
記憶装置４２と
入力部４３と
設定画面等を表示する表示部４４とを有する
【００３８】
　制御部４１のＲＯＭや記憶装置４２には、各種のプログラムが記憶されており、制御部４１のＣＰＵは、ＲＯＭや記憶装置４２に記憶されているプログラムに従ってジョブログ管理サーバ４の各部を制御する。
【００３９】
　
記憶装置４２は、各複合機２から転送されたログイメージおよびジョブログ、設定画面等を記憶するものであり
　
エ．「【００４０】
（第１の実施の形態の動作）
　次に、本実施の形態の動作を場合を分けて説明する。
【００４１】
（１）管理者による設定
　
システム１または複写機２の管理者は、複合機２の操作表示部２１を操作してパスワードを入力し、当該管理者が正規の管理者であると認定されると、管理者設定モードに入る。管理者は、メニュー画面から［ログイメージ設定］ボタンを選択してログイメージ作成設定画面を操作表示部２１に表示させる
【００４２】
　
図４は、そのログイメージ作成設定画面を示す。この画面１００には、解像度について
の解像度ボタン１０１
ジョブで扱った画像のうちログイメージの作成範囲について、
のページボタン１０２
カラーモードについて、
のカラーボタン１０３
その他に、設定内容を確認または変更する［確認／変更］ボタン１０４、およびログイメージ作成設定画面１００を閉じる［閉じる］ボタン１０５が表示され
【００４３】
　［２５ｄｐｉ］〜［２００ｄｐｉ］の
解像度ボタン１０１は、作成するログイメージの解像度を指定するものである
【００４４】
　［１ページ］〜［６ページ］、［全ページ］の
ページボタン１０２は、ログイメージを作成する１ページ目からのページ数を指定するものであり
【００４５】
　
なお、作成範囲の指定は、全ぺージから複数のページをランダムに抽出してログイメージの対象としてもよい。
ランダムに抽出するページの数は、管理者が設定するようにしてもよい。
【００４６】
　［白黒］のカラーボタン１０３は、白黒画像およびカラー画像をそのまま白黒のログイメージ、カラーのログイメージとするものである。［グレー］のカラーボタン１０３は、カラー画像をグレースケールのログイメージに変換するものである。［カラー］のカラーボタン１０３は、カラー画像の色数を減色したログイメージ、または白黒画像を２色のログイメージに変換するものである。［自動］のカラーボタン１０３は、画像の種類に応じて色情報を変換したログイメージを作成するものである。
【００４７】
　
管理者は、ログイメージ作成設定画面１００上で、解像度、作成範囲、カラーモードの各項目から目的に合ったボタン１０１、１０２，１０３を選択し、［確認／変更］ボタン１０４を押下した後、［閉じる］ボタン１０５を押下してログイメージ作成設定画面１００を閉じると、ログイメージ作成設定画面１００に対する設定内容が確定する。制御部２０は、確定したログイメージ作成設定情報を記憶装置２４に記憶し、管理者設定モードから通常モードヘ移行する
　
オ．「【００４８】
（２）ジョブログの生成およびログイメージの作成
　
ユーザが複合機２の操作表示部２１を操作してジョブを設定し、ジョブの実行を指示すると、制御部２０は、複合機２の各部を制御してジョブを実行する。ジョブ管理部２５は、ジョブが開始されると複合機ＩＤおよびジョブＩＤを発行し、これらの複合機ＩＤおよびジョブＩＤを基にジョブを管理する。
【００４９】
　
ジョブ管理部２５のジョブログ生成・蓄積部２５０は、ジョブの実行後にジョブログを生成し、蓄積する。ログイメージ作成部２５１は、ジョブで扱われた画像に、記憶装置２４に記憶されているログイメージ作成設定情報に従った画像処理を施してログイメージを作成する。
ジョブ管理部２５は、ログイメージ作成部２５１によって作成されたログイメージを対応するジョブログに関係付けてログイメージ記憶部２５２に記憶する。
　
カ．「【００５０】
（３）ジョブログおよびログイメージの転送
　制御部２０は、複合機２の電源投入時、ジョブ終了時等の所定のタイミングでジョブログおよびログイメージをネットワーク通信部２６およびネットワーク３を介してジョブログ管理サーバ４に転送する。ジョブログ管理サーバ４の制御部４１は、複合機２から転送されたジョブログおよびログイメージを通信部４０により受信し、ジョブログおよびログイメージを互いに関連付けて記憶装置４２に記憶する。ジョブログおよびログイメージは、管理者のジョブ管理に供される。」
　
キ．「【００５１】
（第１の実施の形態の効果）
　上述した第１の実施の形態によれば、以下の効果が得られる。
（イ）ログイメージをジョブログに関連して管理することで、機密情報の漏洩があっても、漏洩元を特定することが可能となり、機密情報の漏洩を抑制することができる。
（ロ）ジョブで扱った画像を縮小（低解像度化）して保存しているので、記憶装置として大容量のものを必要としない。
（ハ）情報量の少ない画像情報をジョブログ管理サーバ４に転送するため、ネットワーク３への負荷を軽減することができる。」
　
　そして、引用例１の上記記載事項を引用例１の関連図面と技術常識に照らせば次のことがいえる。
　
ａ．上記ア．、上記イ．の段落【０００５】の記載によれば、引用例１には、「ジョブを実行した後、それをジョブログ（ジョブの実行記録）として管理す画像処理システム」、が記載されているといえる。
　
ｂ．上記ウ．の段落【００３０】、及び図１の記載によれば、「画像処理システム１は、ジョブを実行してジョブログを生成するとともにジョブで扱った画像からログイメージを作成する複数の画像処理装置としての複合機２と、各複合機２からネットワーク３を介して転送されたジョブログおよびログイメージを格納するジョブログ管理サーバ４とを備え」ている。
　
ｃ．上記ウ．の段落【００３１】、及び図２の記載によれば、「複合機２は、本複合機２の各部を制御する制御部２０と、操作表示部２１と、画像読取部２２と、印刷部２３と、設定画面、設定情報、画像等の各種の情報を記憶するＨＤＤ等からなる記憶装置２４と、ジョブを受け付けて複合機ＩＤおよびジョブＩＤを発行するとともにジョブ実行後にジョブログ等を生成するジョブ管理部２５と、ネットワーク通信部２６と、ファクシミリ通信部２７とを有し」ている。（但し、段落【００３１】に記載の「ファクリミリ通信部２７」は、明らかに「ファクシミリ通信部２７」の誤記と認められる。）
　
ｄ．上記ウ．の段落【００３４】の記載によれば、ジョブ管理部２５は、ジョブ実行後にジョブログを生成し、それを蓄積するジョブログ生成・蓄積部２５０と、ジョブで扱われた画像からログイメージを作成するログイメージ作成部２５１と、ジョブログと関連するようにログイメージを記憶するログイメージ記憶部２５２とを備えており、さらに、段落【００３６】の記載によれば、ログイメージ作成部２５１は、ジョブで扱われた画像にログイメージ作成設定情報に従った処理を施し、ログイメージを作成するものである。
　したがって、引用例１には、「ジョブ管理部は、ジョブ実行後にジョブログを生成し、それを蓄積するジョブログ生成・蓄積部と、ジョブで扱われた画像にログイメージ作成設定情報に従った処理を施し、ログイメージを作成するログイメージ作成部と、ジョブログと関連するようにログイメージを記憶するログイメージ記憶部とを備え」る、ことが記載されているといえる。
　
ｅ．上記ウ．の段落【００３７】、及び図３の記載によれば、ジョブログ管理サーバ４は、通信部４０と、本サーバ４の各部を制御する制御部４１と、記憶装置４２と、入力部４３と、設定画面等を表示する表示部４４とを有しており、さらに，段落【００３９】の記載によれば、記憶装置４２は、各複合機２から転送されたログイメージおよびジョブログ、設定画面等を記憶するものであり、ログイメージはジョブログに関連して記憶されものである。
　 したがって、引用例１には、「ジョブログ管理サーバは、通信部と、本サーバの各部を制御する制御部と、設定画面等、及び各複合機から転送されたログイメージとジョブログを関連付けて記憶する記憶装置と、入力部と、設定画面等を表示する表示部とを有」する、ことが記載されているといえる。
　
ｆ．上記エ．の段落【００４１】の記載によれば、「管理者は、複合機２の操作表示部２１を操作してパスワードを入力し、当該管理者が正規の管理者であると認定されると、管理者設定モードに入り、メニュー画面から［ログイメージ設定］ボタンを選択してログイメージ作成設定画面を操作表示部２１に表示させ」る。
ｇ．上記エ．の段落【００４２】〜【００４４】、及び図４の記載によれば、ログイメージ作成設定画面１００には、作成するログイメージの解像度を指定する解像度ボタン１０１、ジョブで扱った画像のうちログイメージの作成範囲について、ログイメージを作成する１ページ目からのページ数を指定するページボタン１０２、カラーモードについてのカラーボタン１０３、その他に、設定内容を確認または変更する［確認／変更］ボタン１０４、およびログイメージ作成設定画面１００を閉じる［閉じる］ボタン１０５が表示されており、さらに、段落【００４５】には、作成範囲の指定は、全ぺージから複数のページをランダムに抽出してログイメージの対象としてもよいこと、及び、ランダムに抽出するページの数は、管理者が設定するようにしてもよいことが記載されており、引用例１のログイメージ作成設定画面１００では、作成範囲の指定として、ページボタン１０２に加え、ランダムに抽出することの選択、及び、ランダムに抽出するページの数を指定するための項目を表示できるものと認められる。
　したがって、引用例１には、「ログイメージ作成設定画面には、作成するログイメージの解像度を指定する解像度ボタン、ジョブで扱った画像のうちログイメージの作成範囲について、ログイメージを作成する１ページ目からのページ数を指定するページボタン、および、前記作成範囲として全ぺージから複数のページをランダムに抽出してログイメージの対象とすることの選択、及び、該ランダムに抽出するページ数を指定するための項目、カラーモードについてのカラーボタン、その他に、設定内容を確認または変更する［確認／変更］ボタン、およびログイメージ作成設定画面を閉じる［閉じる］ボタンが表示され」ることが記載されているといえる。
　
ｈ．上記エ．の段落【００４７】の記載によれば、「管理者は、ログイメージ作成設定画面１００上で、解像度、作成範囲、カラーモードの各項目から目的に合ったボタン１０１、１０２，１０３を選択し、［確認／変更］ボタン１０４を押下した後、［閉じる］ボタン１０５を押下してログイメージ作成設定画面１００を閉じると、ログイメージ作成設定画面１００に対する設定内容が確定し、制御部２０は、確定したログイメージ作成設定情報を記憶装置２４に記憶し、管理者設定モードから通常モードヘ移行」するものである。
　
ｉ．上記オ．の段落【００４８】の記載によれば、「ユーザが複合機２の操作表示部２１を操作してジョブを設定し、ジョブの実行を指示すると、制御部２０は、複合機２の各部を制御してジョブを実行し、ジョブ管理部２５は、ジョブが開始されると複合機ＩＤおよびジョブＩＤを発行し、これらの複合機ＩＤおよびジョブＩＤを基にジョブを管理」するものである。
　
ｊ．上記オ．の段落【００４９】の記載によれば、「ジョブ管理部２５のジョブログ生成・蓄積部２５０は、ジョブの実行後にジョブログを生成し、蓄積し、ログイメージ作成部２５１は、ジョブで扱われた画像に、記憶装置２４に記憶されているログイメージ作成設定情報に従った画像処理を施してログイメージを作成し」、さらに、「ジョブ管理部２５は、ログイメージ作成部２５１によって作成されたログイメージを対応するジョブログに関係付けてログイメージ記憶部２５２に記憶」している。
　
　
　以上総合すると、引用例１には、以下の発明（以下、「引用発明」という。）が記載されているといえる。
 
〈引用発明〉
 
「ジョブを実行した後、それをジョブログ（ジョブの実行記録）として管理す画像処理システムであって、
　該画像処理システムは、ジョブを実行して前記ジョブログを生成するとともにジョブで扱った画像からログイメージを作成する複数の画像処理装置としての複合機と、各複合機からネットワークを介して転送されたジョブログおよびログイメージを格納するジョブログ管理サーバとを備え、
　前記複合機は、本複合機の各部を制御する制御部と、操作表示部と、画像読取部と、印刷部と、設定画面、設定情報、画像等の各種の情報を記憶するＨＤＤ等からなる記憶装置と、ジョブを受け付けて複合機ＩＤおよびジョブＩＤを発行するとともにジョブ実行後にジョブログ等を生成するジョブ管理部と、ネットワーク通信部と、ファクシミリ通信部とを有し、
　前記ジョブ管理部は、ジョブ実行後にジョブログを生成し、それを蓄積するジョブログ生成・蓄積部と、ジョブで扱われた画像にログイメージ作成設定情報に従った処理を施し、ログイメージを作成するログイメージ作成部と、ジョブログと関連するようにログイメージを記憶するログイメージ記憶部とを備え、
　前記ジョブログ管理サーバは、通信部と、本サーバの各部を制御する制御部と、設定画面等、及び各複合機から転送されたログイメージとジョブログを関連付けて記憶する記憶装置と、入力部と、設定画面等を表示する表示部とを有しており、
　管理者は、複合機の前記操作表示部を操作してパスワードを入力し、当該管理者が正規の管理者であると認定されると、管理者設定モードに入り、メニュー画面から［ログイメージ設定］ボタンを選択してログイメージ作成設定画面を前記操作表示部に表示させ、
　ログイメージ作成設定画面には、作成するログイメージの解像度を指定する解像度ボタン、ジョブで扱った画像のうちログイメージの作成範囲について、ログイメージを作成する１ページ目からのページ数を指定するページボタン、および、前記作成範囲として全ぺージから複数のページをランダムに抽出してログイメージの対象とすることの選択、及び、該ランダムに抽出するページ数を指定するための項目、カラーモードについてのカラーボタン、その他に、設定内容を確認または変更する［確認／変更］ボタン、およびログイメージ作成設定画面を閉じる［閉じる］ボタンが表示され、
　 管理者は、該ログイメージ作成設定画面上で、解像度、作成範囲、カラーモードの各項目から目的に合ったボタンを選択し、前記［確認／変更］ボタンを押下した後、前記［閉じる］ボタンを押下して該ログイメージ作成設定画面を閉じると、該ログイメージ作成設定画面に対する設定内容が確定し、
　前記複合機の前記制御部は、該確定したログイメージ作成設定情報を前記複合機の前記記憶装置に記憶し、管理者設定モードから通常モードヘ移行し、
　ユーザが前記複合機の前記操作表示部を操作してジョブを設定し、ジョブの実行を指示すると、前記複合機の前記制御部は、前記複合機の各部を制御してジョブを実行し、前記ジョブ管理部は、ジョブが開始されると複合機ＩＤおよびジョブＩＤを発行し、これらの複合機ＩＤおよびジョブＩＤを基にジョブを管理し、
　前記ジョブ管理部の前記ジョブログ生成・蓄積部は、ジョブの実行後にジョブログを生成し、蓄積し、
　前記ログイメージ作成部は、ジョブで扱われた画像に、前記記憶装置に記憶されている前記ログイメージ作成設定情報に従った画像処理を施してログイメージを作成し、
　前記ジョブ管理部は、前記ログイメージ作成部によって作成された前記ログイメージを対応する前記ジョブログに関係付けて前記ログイメージ記憶部に記憶する、
　画像処理システム。」
　 
　
（２）対比
 
　補正発明と引用発明とを対比すると、次のことがいえる。
 
ア．引用発明の「ジョブログ」は、ジョブの履歴情報であるから、補正発明の「ジョブ履歴情報」に相当する。
　また、引用発明の「画像処理システム」は、「ジョブを実行して前記ジョブログを生成するとともにジョブで扱った画像からログイメージを作成する複数の画像処理装置としての複合機」と、「各複合機からネットワークを介して転送されたジョブログおよびログイメージを格納するジョブログ管理サーバ」から構成されるものであるから、補正発明の「画像形成装置において実行されるジョブのジョブ履歴情報を保存するジョブ履歴情報監査システム」に相当する。
　 
イ．引用発明の「ログイメージ作成設定画面」には、「ジョブで扱った画像のうちログイメージの作成範囲について」、「ログイメージを作成する１ページ目からのページ数の指定するページボタン」、および、「前記作成範囲として全ぺージから複数のページをランダムに抽出してログイメージの対象とすることの選択」、さらに、「該ランダムに抽出するページ数を指定するための項目」、が表示されており、これらは「ログイメージの作成範囲」として、「ジョブで扱った画像」の全ページから特定の範囲をフィルタリングするための条件を指定する手段と認められることから、引用発明の「ログイメージを作成する１ページ目からのページ数の指定するページボタン」、「前記作成範囲として全ぺージから複数のページをランダムに抽出してログイメージの対象とすることの選択」、及び、「該ランダムに抽出するページ数を指定するための項目」は、補正発明の「ページフィルタリングの条件として、複数の条件の中から少なくとも１以上の条件を設定する設定手段」に相当する。
　 
ウ．引用発明の「ログイメージ作成部」は、「ジョブで扱われた画像に、前記記憶装置に記憶されている前記ログイメージ作成設定情報に従った画像処理を施してログイメージを作成」するものである。
　ここで、「前記ログイメージ作成設定情報」を設定する画面である「ログイメージ作成設定画面」には、「前記作成範囲として全ぺージから複数のページをランダムに抽出してログイメージの対象とすることの選択」すること、及び、「該ランダムに抽出するページ数を指定するための項目」が含まれていることから、「前記ログイメージ作成設定情報」として、「ジョブで扱った画像」からランダムに指定されたページ数分を抽出するという設定が行えるものと認められる。
　してみれば、引用発明の「ログイメージ作成部」と、補正発明の「前記ジョブに含まれるページから、前記決定手段により決定されたページ数分の画像データをランダムで取得する取得手段」は、「前記ジョブに含まれるページから、前記設定したフィルタリングの条件にあったページ数分の画像データをランダムで取得する取得手段」の点で共通する。
 
　
　よって、補正発明と引用発明は、以下の点で一致、ないし相違している。
 
（一致点）
 
「画像形成装置において実行されるジョブのジョブ履歴情報を保存するジョブ履歴情報監査システムであって、
　ページフィルタリングの条件として、複数の条件の中から少なくとも１以上の条件を設定する設定手段と、
　前記ジョブに含まれるページから、前記設定したフィルタリングの条件にあったページ数分の画像データをランダムで取得する取得手段と、を有する、
　ジョブ履歴情報監査システム。」
 
　
（相違点１）補正発明では、「前記ページフィルタリングの条件として、前記画像形成装置において実行されるジョブに含まれるページのうち前記ジョブ履歴情報として画像データを取得するページの割合が設定されている場合に、当該割合にあたるページ数を決定する決定手段」を有しているのに対して、引用発明では、有していない点。
（相違点２）前記「設定したフィルタリングの条件にあったページ数」が、補正発明では、「前記決定手段により決定されたページ数」であるのに対して、引用発明では、「ログイメージ作成設定画面」の「該ランダムに抽出するページ数を指定するための項目」で指定したページ数である点、
　
（相違点３）補正発明では、「前記決定手段により決定されるページ数は、０より大きい整数値を示す」のに対して、引用発明では、「決定手段」を有しておらず、ページ数が０より大きいか不明な点。 
　 
 
（３）判断
 
　当審は次のとおり判断する。
 
　下のア．〜ウ．に示す理由で、引用発明において上記相違点１と２に係る補正発明の構成を採用することは、当業者といえども容易に推考し得たこととはいえない。
 
　したがって、その他の点について判断するまでもなく、補正発明は引用発明に基づいて当業者が容易に発明することができたものとはいえない。
 
ア．引用発明を開示する引用例１には、引用発明において上記相違点１と２に係る本願発明の構成を採用することについての記載も、それを示唆する記載もない。
 
イ．原査定の拒絶理由で引用された特開２００２−１１６９０１号公報（以下、「引用例２」という。）の段落【００２９】〜【００３７】、図２には、デジタル複写機１の不正使用を抑制するために、モノクロ画像の基本保存率が０．０５に設定される際に、複写の指示がされると、原稿（の画像）毎に、０〜１．００の範囲において０．０１ずつ変化する乱数ＲＤＮを無作為に生成し、この乱数ＲＤＮとモノクロ画像の基本保存率０．０５を比較する（ステップＳ９）。そして、乱数ＲＤＮ＜基本保存率０．０５の場合は（ステップＳ９，Ｙｅｓ）、モノクロ画像を示す画像データを記憶して保存するために、ステップＳ１０からの処理に移る。また、乱数ＲＤＮ＜基本保存率０．０５でない場合は（ステップＳ９，Ｎｏ）、画像データを保存せずに、ステップＳ１に戻る。この結果、モノクロ画像の保存率は、複写される全てのモノクロ画像の５％に設定されることが記載されており、そのような引用例２に記載される技術を引用発明において採用すること自体は当業者が容易なし得たこととも考えられる。
 
　しかしながら、上記引用例２に記載される技術において補正発明の「取得手段」に相当する役割を果たす保存判定部は、原稿（の画像）毎に取得する否かの判定を行い、結果として保存される画像の割合が、全ての画像のうちの基本保存率で設定される保存率になるものであり、取得前にジョブ毎に設定した割合にあたるページ数を決定する決定手段を有するものでなく、仮に引用発明において上記引用例２に記載される技術を採用したとしても、上記相違点１と２に係る本願発明の構成は導出されない。
　 
　したがって、上記引用例２に記載される技術の存在をもっては、引用発明において上記相違点１と２に係る補正発明の構成を採用することが当業者にとって容易であったとはいえない。
　 
ウ．ほかに引用発明において上記相違点１と２に係る本願発明の構成を採用することが当業者にとって容易であったといえる根拠は見当たらない。
　
　ほかに、補正発明を特許出願の際独立して特許を受けることができないものというべき理由は見当たらない。 
　
　よって、本件補正の補正事項１は、特許法第１７条の２第６項において準用する同法第１２６条第７項の規定に適合する。
 　
　　
　本件補正のその余の補正事項についても、特許法第１７条の２第３項ないし第６項に違反するところはない。
 　
３．むすび
　 
　本件補正は、特許法第１７条の２第３項ないし第６項の規定に適合する。
　
　　
第３　本願発明
 　
　本件補正は上記のとおり、特許法第１７条の２第３項ないし第６項の規定に適合するから、本願の請求項１−９に係る発明は、本件補正により補正された特許請求の範囲の請求項１―９に記載された事項により特定されるとおりのものである。
　 
　そして、本願については、原査定の拒絶理由を検討してもその理由によって拒絶すべきものとすることはできない。 
　
　また、他に本願を拒絶すべき理由を発見しない。 
　
　よって、結論のとおり審決する。